(57)【要約】【課題】樹脂製で角度調整用のスペーサを金属製の被取付面（例えば無目）に金属用の例えばＡタップでねじ止めした後、そのスペーサにセンサーホルダーを樹脂用の例えばＰタイプでねじ止めするところ、間違ってＡタップを用いることを防止する。【解決手段】自動ドア用センサーを保持するセンサーホルダーと、センサーホルダーと所定の被取付面（例えば無目）との間に介装される角度調整用のスペーサ２００と、ねじ軸の長さが異なる第１および第２の２種類のセルフタッピングねじ（例えば金属用のＡタップと、樹脂用のＰタイプ）とを備え、スペーサ２００がねじ軸の短い例えばＡタップにて無目に取り付けられ、センサーホルダーがねじ軸の長い例えばＰタイプにてスペーサ２００に取り付けられる自動ドア用センサーの取付装置において、スペーサ２００に設けられるＰタイプ用の下穴２１のセンサーホルダー取付面２０２側の一部分に、Ａタップを空回りとする座繰り部２１１を形成する。【選択図】図２
2020122307.tif 000002
【特許請求の範囲】
【請求項１】
自動ドア用のセンサーを保持するセンサーホルダーと、上記センサーホルダーと所定の被取付面との間に介装される角度調整用のスペーサと、ねじ軸の長さが異なる第１および第２の２種類のセルフタッピングねじとを備え、上記スペーサがねじ軸の短い第１セルフタッピングねじにて上記被取付面に取り付けられ、上記センサーホルダーがねじ軸の長い第２セルフタッピングねじにて上記スペーサに取り付けられる自動ドア用センサーの取付装置において、
上記スペーサに設けられる上記第２セルフタッピングねじ用の下穴のセンサーホルダー取付面側の一部分に、上記第１セルフタッピングねじを空回りとする座繰り部が形成されていることを特徴とする自動ドア用センサーの取付装置。
【請求項２】
上記座繰り部は、上記第１セルフタッピングねじのねじ軸の外径よりも大径で、かつ、そのねじ軸の軸長よりも大きな深さを有する凹部として形成されていることを特徴とする請求項１に記載の自動ドア用センサーの取付装置。
【請求項３】
上記被取付面が金属板よりなり、上記第１セルフタッピングねじには金属用のタッピンねじが用いられ、上記スペーサが樹脂製で、上記第２セルフタッピングねじには樹脂用のタップタイプが用いられることを特徴とする請求項１または２に記載の自動ドア用センサーの取付装置。
【請求項４】
上記被取付面が無目で、上記センサーが赤外線反射型センサーであることを特徴とする請求項１ないし３のいずれか１項に記載の自動ドア用センサーの取付装置。
【発明の詳細な説明】
【技術分野】
【０００１】
本発明は、自動ドア用センサーの取付装置に関し、さらに詳しく言えば、自動ドア用センサーがセンサーホルダーおよび角度調整用のスペーサを介して無目等の被取付面に取り付けられる自動ドア用センサーの取付装置に関するものである。
【背景技術】
【０００２】
自動ドア用のセンサーの一つに赤外線反射型センサー（以下、単に「反射センサー」と言うことがある）がある。反射センサーは、発光素子（例えば、発光ダイオード）と受光素子（例えば、フォトダイオード）とを有し、発光素子から自動ドアの出入り口付近の床面（監視領域）に向けて赤外光を照射し、床面もしくは床面上の物体（主に人）からの反射光を受光素子にて受光し、その受光量に基づいてドア開信号もしくはドア閉信号を出力する。
【０００３】
この種の反射センサーは、多くの場合、ドア上方の無目に取り付けられる（例えば、特許文献１参照）。図５を参照して、反射センサー１（作図の都合上、鎖線で示す）を無目に取り付けるにあたって、ＡＢＳ等の樹脂製のセンサーホルダー１０が用いられる。
【０００４】
センサーホルダー１０は、そのベース部１１にねじ挿通孔１２を有し、通常、セルフタッピングねじにより無目に取り付けられる（例えば、特許文献２参照）。
【０００５】
無目はアルミニウム材等の金属材よりなるため、また、無目内にはドアコントローラ等の開閉制御器等が収納されているため、セルフタッピングねじには金属用でねじ軸の長さ（軸長）が短い例えば１種タッピンねじ（通称：Ａタップ）が用いられる。
【０００６】
取付方法は、まず、図６（ａ）に示すように、無目３に下穴３ａを開ける。そして、図６（ｂ）に示すように、センサーホルダー１０のねじ挿通孔１２にＡタップＳ１を挿通して、ＡタップＳ１を下穴３ａにねじ込む。
【０００７】
ところで、無目３に対する反射センサー１の取付角度（発光素子２の照射方向）を変える場合には、図７に示すようなくさび形状の角度調整用のスペーサ２０が用いられる。取り付けにあたっては、図７（ａ）に示すように、無目３に下穴３ａを開けたのち、図７（ｂ）に示すように、ＡタップＳ１をスペーサ２０のねじ挿通孔より下孔３ａにねじ込んで無目３に固定する。
【０００８】
そして、図７（ｃ）に示すように、センサーホルダー１０をスペーサ２０にねじ止めする。このねじ止めにもセルフタッピングねじが用いられるが、その種類として、スペーサ２０はＡＥＳ等の樹脂製であることから、樹脂用のタップタイプねじである例えばＰタイプＳ２が用いられる。
【０００９】
図８に示すように、スペーサ２０には、タップタイプねじをねじ込むための下穴２１が設けられており、センサーホルダー１０のねじ挿通孔１２よりその下穴２１にＰタイプＳ２をねじ込むことにより、センサーホルダー１０が所定角度傾けられた状態でスペーサ２０に取り付けられる。
【００１０】
ＰタイプＳ２はＡタップＳ１よりも軸長が長い。呼び長さは一例として、金属用のＡタップＳ１が１２ｍｍ，樹脂用のＰタイプＳ２が１６ｍｍである。ともにセルフタッピングねじであるため、下穴があればねじ込み可能である。したがって、センサーホルダー１０をスペーサ２０にねじ止めする際、ＰタイプＳ２を用いるべきところ、間違ってＡタップＳ１を用いてしまうことがあり得る。
【００１１】
図９および図１０の両図を参照して、センサーホルダー１０のねじ挿通孔１２の長さ（ねじ挿通孔１２の周りの肉厚）が５ｍｍであるとして、下穴２１へのねじ込み深さは、ＰタイプＳ２の場合には１１ｍｍとなるが、ＡタップＳ１の場合には先端が位置決めガイドとして尖っているため例えば有効ねじ軸の３．５ｍｍ長しか得られず、取り付け強度に問題が生ずる。
【先行技術文献】
【特許文献】
【００１２】
【特許文献１】特開２００３−８４０７３号公報
【特許文献２】特開２０００−３０４０１２号公報
【発明の概要】
【発明が解決しようとする課題】
【００１３】
そこで、本発明の課題は、長さの異なる２種類のセルフタッピングねじを用いて、自動ドア用センサーをセンサーホルダーおよびスペーサを介して被取付面に取り付ける自動ドア用センサーの取付装置において、センサーホルダーをスペーサにねじ止めする際、適正な長さのセルフタッピングねじしか使えないようにすることにある。
【課題を解決するための手段】
【００１４】
上記課題を解決するため、本発明は、自動ドア用のセンサーを保持するセンサーホルダーと、上記センサーホルダーと所定の被取付面との間に介装される角度調整用のスペーサと、ねじ軸の長さが異なる第１および第２の２種類のセルフタッピングねじとを備え、上記スペーサがねじ軸の短い第１セルフタッピングねじにて上記被取付面に取り付けられ、上記センサーホルダーがねじ軸の長い第２セルフタッピングねじにて上記スペーサに取り付けられる自動ドア用センサーの取付装置において、
上記スペーサに設けられる上記第２セルフタッピングねじ用の下穴のセンサーホルダー取付面側の一部分に、上記第１セルフタッピングねじを空回りとする座繰り部が形成されていることを特徴としている。
【００１５】
本発明の好ましい態様によれば、上記座繰り部は、上記第１セルフタッピングねじのねじ軸の外径よりも大径で、かつ、上記ねじ軸の軸長よりも大きな深さを有する凹部として形成される。
【００１６】
また、本発明の好ましい態様によれば、上記被取付面が金属板よりなり、上記第１セルフタッピングねじには金属用のタッピンねじが用いられ、上記スペーサが樹脂製で、上記第２セルフタッピングねじには樹脂用のタップタイプが用いられる。
【００１７】
本発明の取付装置は、上記被取付面が金属製の無目で、上記センサーが赤外線反射型センサーである場合に特に好適である。
【発明の効果】
【００１８】
本発明によれば、センサーホルダーをスペーサにねじ止めする際、適正な長さのセルフタッピングねじしか使えないようにすることができる。
【図面の簡単な説明】
【００１９】
【図１】本発明の自動ドア用センサーホルダーの取付装置の一実施形態を示す断面図。
【図２】上記実施形態で用いる角度調整用のスペーサの一部を拡大して示す断面図。
【図３】上記スペーサの下穴にタップタイプねじ（Ｐタイプ）をねじ込んだ状態を示す断面図。
【図４】上記スペーサの下穴に１種タッピンねじ（Ａタップ）をねじ込んだ状態を示す断面図。
【図５】反射センサー用のセンサーホルダーを示す断面図。
【図６】上記センサーホルダーを無目に取り付ける手順を示す説明図。
【図７】上記センサーホルダーを角度調整用のスペーサを介して無目に取り付ける手順を示す説明図。
【図８】スペーサに設けられる下穴の従来例を示す断面図。
【図９】上記従来の下穴にタップタイプねじ（Ｐタイプ）をねじ込んだ状態を示す断面図。
【図１０】上記従来の下穴に１種タッピンねじ（Ａタップ）をねじ込んだ状態を示す断面図。
【発明を実施するための形態】
【００２０】
次に、図１ないし図４により、本発明の実施形態について説明するが、本発明はこれに限定されるものではない。なお、この実施形態においても、先の図５で説明したセンサーホルダー１０が用いられてよい。
【００２１】
図１に示すように、本発明においても、センサーホルダー１０を例えば無目３に取り付けるにあたって、センサーホルダー１０の取付角度を変更する際に用いられる取付角度調整用のスペーサ２００を備えている。
【００２２】
図２を併せて参照して、スペーサ２００はくさび状を呈しており、ねじ挿通孔２２と、セルフタッピングねじのための下穴２１とを備えている。ねじ挿通孔２２は、スペーサ２００の無目取付面２０１側（図２において右側の面）に配置されている。
【００２３】
スペーサ２００の無目３への取り付けには、金属用でねじ軸の長さ（軸長）が短い例えば１種タッピンねじであるＡタップＳ１が用いられる。スペーサ２００は、ＡタップＳ１をねじ挿通孔２２から無目３に開けられている下穴３ａにねじ込むことにより、無目３に固定される。
【００２４】
スペーサ２００はＡＥＳ等の樹脂製であるため、センサーホルダー１０をスペーサ２００にねじ止めするには、先にも説明したように、樹脂用のタップタイプねじである例えばＰタイプＳ２が用いられる。
【００２５】
下穴２１にはＰタイプＳ２がねじ込まれるが、本発明によると、下穴２１のセンサーホルダー取付面２０２側（図２において左側の面）の一部分には、ＡタップＳ１を空回りとする座繰り部２１１が形成されている。
【００２６】
座繰り部２１１は、ＡタップＳ１のねじ軸の外径よりも大径で、かつ、そのねじ軸の軸長よりも大きな深さを有する大径の凹部として形成されている。この実施形態において、座繰り部２１１の深さは４ｍｍである。
【００２７】
これによれば、図３に示すように、ＰタイプＳ２は座繰り部２１１を通して下穴２１にねじ込むことができる。なお、ＰタイプＳ２を下穴２１に入れやすくするため、座繰り部２１１の底部には、Ｃ０．５のＣ面取り２１２と、Ｒ０．２５のＲ面２１３とが形成されている。
【００２８】
ＰタイプＳ２のねじ軸の長さは１６ｍｍ、センサーホルダー１０のねじ挿通孔１２の長さ（ねじ挿通孔１２の周りの肉厚）が５ｍｍ、座繰り部２１１の深さが４ｍｍであるから、ＰタイプＳ２の下穴２１へのねじ込み深さは７ｍｍであり、強度的には問題はない。
【００２９】
これに対して、間違ってＡタップＳ１を使用すると、図４に示すように、下穴２１まで届かず空回り状態となる。したがって、ＡタップＳ１の誤使用を確実に防止することができる。
【００３０】
座繰り部２１１の深さは、ＡタップＳ１の先端の円錐状に尖っている位置決めガイド部を除く有効ねじ軸が下穴２１に届かない深さであることが好ましいが、ＡタップＳ１の有効ねじ軸が下穴２１に若干食い込むものの実質的に締め付けられないような深さであってもよく、このような態様も本発明に含まれる。
【００３１】
なお、上記実施形態では金属用のセルフタッピングねじとしてＡタップ、樹脂用のセルフタッピングねじとしてＰタイプを用いているが、これに限定されるものではない。また、被取付面を無目としているが、無目以外の金属面であってもよい。
【００３２】
いずれにしても、本発明によれば、樹脂製で角度調整用のスペーサを金属製の被取付面（例えば無目）に金属用の例えばＡタップでねじ止めした後、そのスペーサにセンサーホルダーを樹脂用の例えばＰタイプでねじ止めするところ、間違ってＡタップを用いることを防止することができる。
【符号の説明】
【００３３】
１  自動ドア用センサー
３  無目
３ａ  下穴
１０  センサーホルダー
１２  ねじ挿通孔
２０，２００  スペーサー
２１  下穴
２１１  座繰り部
２１２  Ｃ面取り
２１３  Ｒ面
Ｓ１  Ａタップ
Ｓ２  Ｐタイプ
【図１】
2020122307.tif 000003
【図２】
2020122307.tif 000004
【図３】
2020122307.tif 000005
【図４】
2020122307.tif 000006
【図５】
2020122307.tif 000007
【図６】
2020122307.tif 000008
【図７】
2020122307.tif 000009
【図８】
2020122307.tif 000010
【図９】
2020122307.tif 000011
【図１０】
2020122307.tif 000012